【手続補正書】
【提出日】平成28年3月17日(2016.3.17)
【手続補正１】
【補正対象書類名】明細書
【補正対象項目名】００４１
【補正方法】変更
【補正の内容】
【００４１】
本明細書においては、基本アレイ１２２は、２〜１０の弾性体、２〜５の弾性体、又は２〜３の弾性体を含む。本明細書においては、高密度アレイ１２４は、２〜４の弾性体、又は２〜３の弾性体を含む。基本アレイ１２２は、アレイ外の少なくとも１つの隣接する弾性体との間を、長手方向に８〜２２ｍｍと比較的大きめの外側インターバル１３４として、配置されてよい。高密度アレイ１２４は、アレイ外の少なくとも１つの隣接する弾性体との間を、長手方向に８ｍｍ未満、又は４ｍｍ〜８ｍｍ未満と比較的小さめの外側インターバル１３４として、配置されてよい。また、外側インターバル１３４は、内側インターバル１３２より大きい。
【手続補正２】
【補正対象書類名】明細書
【補正対象項目名】００４５
【補正方法】変更
【補正の内容】
【００４５】
ｃ）１つの特定のアレイは、当該特定のアレイの外の、少なくとも１つの隣接する弾性体との間に、長手方向に、内側インターバル１３２より大きい、外側インターバル１３４の間隔で配置される。
【手続補正３】
【補正対象書類名】明細書
【補正対象項目名】００４９
【補正方法】変更
【補正の内容】
【００４９】
ｃ）１つの特定の基本アレイ１２２は、当該特定の基本アレイ１２２の外の、少なくとも１つの隣接する弾性体との間に、長手方向に、８〜２２ｍｍの外側インターバル１３４の間隔で配置される。
【手続補正４】
【補正対象書類名】明細書
【補正対象項目名】００５３
【補正方法】変更
【補正の内容】
【００５３】
ｃ）１つの特定の高密度アレイ１２４は、該特定の高密度アレイ１２４の外側にある、少なくとも１つの隣接する弾性体との間に、長手方向に、前記特定の高密度アレイ１２４の前記内側インターバル１３２よりも大きく、８ｍｍより小さい、外側インターバル１３４の間隔で配置される。
【手続補正５】
【補正対象書類名】明細書
【補正対象項目名】００５６
【補正方法】変更
【補正の内容】
【００５６】
アレイは、前側ベルト８４と後側ベルト８６との両方に配置されていてよい。前側及び後側ベルト８４、８６それぞれからのアレイは、整合配列１３６に配置されていてよい。
「整合配列１３６」が意味するのは、前側ベルト８４のベルト側縁部８９で１つのアレイに含まれる少なくとも１つの弾性体と、後側ベルト８６のベルト側縁部８９で１つのアレイに含まれる少なくとも１つの弾性体とが、両方のシーム３２で実質的に同じポジションに位置するようになっていることである。「実質的に同じポジション」が意味するのは、物品を高速で生産する際に起こり得る設計上の配置からのずれが、合理的な範囲以内、例えば、４ｍｍ以内又は２ｍｍ以内にとどまった位置のことである。一実施形態においては、前側ベルト８４のベルト側縁部８９で１つのアレイに含まれるすべての弾性体と、後側ベルト８６のベルト側縁部８９で１つのアレイに含まれるすべての弾性体とが、両方のシーム３２で実質的に同じポジションに位置するようになっていてよい。前側及び後側ベルト８４、８６の遠位縁部８８が、実質的に平行でぴったり一致するように位置していて、かつ、図２〜４に示すように、すべての弾性体９６が互いに平行となるように横方向に延びているような実施形態においては、整合配列になっているかどうかは、ベルトの遠位縁部８８からの該当するアレイの位置を比較することでもまた、見分けることができる。前側及び後側ベルト８４、８６においてそれぞれの遠位縁部８８からのアレイの位置が一致する場合に、整合配列になっていると見なすことができる。
【手続補正６】
【補正対象書類名】明細書
【補正対象項目名】００５７
【補正方法】変更
【補正の内容】
【００５７】
整合配列１３６は、基本アレイ１２２又は高密度アレイ１２４の一方で形成されるようになっていてよい。アレイの整合配列１３６は、例えば、腰部開口部又は脚部開口部の近くで、外側インターバル１３４内に明確に画定されたギャザーを提供するために有益であり得る。図３中の符号１３６で示されるエリアには、２組の整合配列１３６が含まれていると見なせる。
【手続補正７】
【補正対象書類名】明細書
【補正対象項目名】００５９
【補正方法】変更
【補正の内容】
【００５９】
ｅ）前側ベルト８４に含まれる１つの特定の基本アレイのベルト側縁部８９が、後側ベルト８６の２つの基本アレイの、ベルト側縁部８９における外側インターバル１３４内に位置している。
【手続補正８】
【補正対象書類名】明細書
【補正対象項目名】００６０
【補正方法】変更
【補正の内容】
【００６０】
ｆ）後側ベルト８６に含まれる１つの特定の基本アレイのベルト側縁部８９が、前側ベルト８４の２つの基本アレイの、ベルト側縁部８９における外側インターバル１３４内に位置している。
【手続補正９】
【補正対象書類名】明細書
【補正対象項目名】００６１
【補正方法】変更
【補正の内容】
【００６１】
前側又は後側ベルト８４、８６の一方に含まれる、１より多い数（例えば、２又は３）の特定の基本アレイが、ベルト側縁部８９で、他方のベルトに含まれる２つのアレイの、ベルト側縁部８９における外側インターバル１３４内に位置していてもよい。
【手続補正１０】
【補正対象書類名】明細書
【補正対象項目名】００６２
【補正方法】変更
【補正の内容】
【００６２】
すなわち、前側又は後側ベルト８４、８６の一方のベルト側縁部８９における少なくとも１つの基本アレイ１２２が、前側又は後側ベルト８４、８６の他方のベルト側縁部８９における、２つの基本アレイ１２２の外側インターバル１３４内に位置している時に、両方のシーム３２において、交互配列になっていると見なすことができる。基本アレイ１２２が交互配列１３８になっていることは、前側ベルト８４及び後側ベルト８６に配置された基本アレイ１２２が提供する力を分配できるので、側部のシーム３２の周りで、ソフトなフィット感を提供するのに有益である場合もある。図３中には、２つのエリアが符号１３２で示されている。符号１３８で示される２つのエリアは、合わせて５組の交互配列１３８を含んでいると見なせる。本発明の物品は、少なくとも２、又は少なくとも３組の交互配列１３８を有すしていてよい。
【手続補正１１】
【補正対象書類名】明細書
【補正対象項目名】００８９
【補正方法】変更
【補正の内容】
【００８９】
比較例１については、前側近位腹部ゾーンの引張り応力は、前側遠位腹部ゾーンの引張り応力より小さく、かつ、後側近位ゾーンの引張り応力の１５０％より小さい。また比較例１については、前側脚部ゾーンの引張り応力は、前側近位腹部ゾーンの引張り応力の５０％より大きく、後側脚部ゾーンの引張り応力は、後側近位腹部ゾーンの引張り応力より大きい。
【手続補正１２】
【補正対象書類名】特許請求の範囲
【補正対象項目名】全文
【補正方法】変更
【補正の内容】
【特許請求の範囲】
【請求項１】
本体と環状弾性ベルトとを備える、長手方向及び横方向に連続している着用可能物品であって、前記環状弾性ベルトが前側ベルトと後側ベルトとを備え、前記前側ベルトの中心は、前記本体の前側腰部パネルに接合され、前記後側ベルトの中心は、前記本体の後側腰部パネルに接合され、前記前側ベルト及び前記後側ベルトのそれぞれは、前記本体が重ならない左側部パネル及び右側部パネルを有し、前記前側ベルト及び前記後側ベルトの横方向縁部はシームにより接合されて腰部開口部及び２つの脚部開口部を形成する着用可能物品であって、
前記前側ベルト及び前記後側ベルトのそれぞれは、内側シート、外側シート、及び複数の弾性体により形成され、該複数の弾性体は、前記内側シートと前記外側シートとの間に挟まれ、互いに実質的に平行に横方向に延びており、
前記前側ベルト及び前記後側ベルトのそれぞれは、横方向に連続している近位及び遠位縁部を有し、前記近位縁部は前記遠位縁部よりも、前記物品の長手方向の中心に対して近い位置にあり、前記前側ベルト及び前記後側ベルトのそれぞれは、側縁部を有し、
前記前側ベルトのベルト側縁部はその全長にわたって、前記後側ベルトのベルト側縁部のある一定の長さ部分と継ぎ合わされて、シーム長ＬＳを画定し、
前記前側ベルト及び前記後側ベルトのそれぞれは、横方向に延びる４つのゾーンであって、前記シーム長ＬＳに対するパーセントで表される、前記遠位縁部から前記近位縁部までの位置により画定される４つのゾーンに分割され、０〜２５％は腰部ゾーン、２５％〜５０％は遠位腹部ゾーン、５０〜８５％は近位腹部ゾーン、８５％〜１００％は脚部ゾーンとなっており、
前側近位腹部ゾーンの引張り応力が、前側腰部ゾーン、前側遠位腹部ゾーンまたは前側脚部ゾーンのいずれかの引張り応力よりも大きく、
後側遠位腹部ゾーンの引張り応力が、後側腰部ゾーン、後側近位腹部ゾーンまたは後側脚部ゾーンのいずれかの引張り応力よりも大きい、着用可能物品。
【請求項２】
本体と環状弾性ベルトとを備える、長手方向及び横方向に連続している着用可能物品であって、前記環状弾性ベルトが前側ベルトと後側ベルトとを備え、前記前側ベルトの中心は、前記本体の前側腰部パネルに接合され、前記後側ベルトの中心は、前記本体の後側腰部パネルに接合され、前記前側ベルト及び前記後側ベルトのそれぞれは、前記本体が重ならない左側部パネル及び右側部パネルを有し、前記前側ベルト及び前記後側ベルトの横方向縁部はシームにより接合されて腰部開口部及び２つの脚部開口部を形成する着用可能物品であって、
前記前側ベルト及び前記後側ベルトのそれぞれは、内側シート、外側シート、及び複数の弾性体により形成され、該複数の弾性体は、前記内側シートと前記外側シートとの間に挟まれ、互いに実質的に平行に横方向に延びており、
前記前側ベルト及び前記後側ベルトのそれぞれは、横方向に連続している近位及び遠位縁部を有し、前記近位縁部は前記遠位縁部よりも、前記物品の長手方向の中心に対して近い位置にあり、前記前側ベルト及び前記後側ベルトのそれぞれは、側縁部を有し、
前記前側ベルトのベルト側縁部はその全長にわたって、前記後側ベルトのベルト側縁部のある一定の長さ部分と継ぎ合わされて、シーム長ＬＳを画定し、
前記前側ベルト及び前記後側ベルトのそれぞれは、横方向に延びる４つのゾーンであって、前記シーム長ＬＳに対するパーセントで表される、前記遠位縁部から前記近位縁部までの位置により画定される４つのゾーンに分割され、０〜２５％は腰部ゾーン、２５％〜５０％は遠位腹部ゾーン、５０〜８５％は近位腹部ゾーン、８５％〜１００％は脚部ゾーンとなっており、
前側脚部ゾーンの引張り応力が、前側腰部ゾーン、前側遠位腹部ゾーンまたは前側近位腹部ゾーンのいずれかの引張り応力よりも小さく、
後側脚部ゾーンの引張り応力が、後側腰部ゾーン、後側遠位腹部ゾーンまたは後側近位腹部ゾーンのいずれかの引張り応力よりも小さい、着用可能物品。
【請求項３】
本体と環状弾性ベルトとを備える、長手方向及び横方向に連続している着用可能物品であって、前記環状弾性ベルトが前側ベルトと後側ベルトとを備え、前記前側ベルトの中心は、前記本体の前側腰部パネルに接合され、前記後側ベルトの中心は、前記本体の後側腰部パネルに接合され、前記前側ベルト及び前記後側ベルトのそれぞれは、前記本体が重ならない左側部パネル及び右側部パネルを有し、前記前側ベルト及び前記後側ベルトの横方向縁部はシームにより接合されて腰部開口部及び２つの脚部開口部を形成する着用可能物品であって、
前記前側ベルト及び前記後側ベルトのそれぞれは、内側シート、外側シート、及び複数の弾性体により形成され、該複数の弾性体は、前記内側シートと前記外側シートとの間に挟まれ、互いに実質的に平行に横方向に延びており、
前記前側ベルト及び前記後側ベルトのそれぞれは、横方向に連続している近位及び遠位縁部を有し、前記近位縁部は前記遠位縁部よりも、前記物品の長手方向の中心に対して近い位置にあり、前記前側ベルト及び前記後側ベルトのそれぞれは、側縁部を有し、
前記前側ベルトのベルト側縁部はその全長にわたって、前記後側ベルトのベルト側縁部のある一定の長さ部分と継ぎ合わされて、シーム長ＬＳを画定し、
前記前側ベルト及び前記後側ベルトのそれぞれは、横方向に延びる４つのゾーンであって、前記シーム長ＬＳに対するパーセントで表される、前記遠位縁部から前記近位縁部までの位置により画定される４つのゾーンに分割され、０〜２５％は腰部ゾーン、２５％〜５０％は遠位腹部ゾーン、５０〜８５％は近位腹部ゾーン、８５％〜１００％は脚部ゾーンとなっており、
前側腰部ゾーン、前側遠位腹部ゾーン、前側近位腹部ゾーンおよび前側脚部ゾーンによって提供される全引張り応力が、後側腰部ゾーン、後側遠位腹部ゾーン、後側近位腹部ゾーンおよび後側脚部ゾーンによって提供される全引張り応力よりも大きい、着用可能物品。
【請求項４】
前記前側近位腹部ゾーンの引張り応力が、他のいかなるゾーンの引張り応力よりも大きい、請求項１から３のいずれか一項に記載の物品。
【請求項５】
前記後側遠位腹部ゾーンの引張り応力が、前記前側遠位腹部ゾーンの引張り応力よりも大きい、請求項１から４のいずれか一項に記載の物品。
【請求項６】
本体と環状弾性ベルトとを備える、長手方向及び横方向に連続している着用可能物品であって、前記環状弾性ベルトが前側ベルトと後側ベルトとを備え、前記前側ベルトの中心は、前記本体の前側腰部パネルに接合され、前記後側ベルトの中心は、前記本体の後側腰部パネルに接合され、前記前側ベルト及び前記後側ベルトのそれぞれは、前記本体が重ならない左側部パネル及び右側部パネルを有し、前記前側ベルト及び前記後側ベルトの横方向縁部はシームにより接合されて腰部開口部及び２つの脚部開口部を形成する着用可能物品であって、
前記前側ベルト及び前記後側ベルトのそれぞれは、内側シート、外側シート、及び複数の弾性体により形成され、該複数の弾性体は、前記内側シートと前記外側シートとの間に挟まれ、互いに実質的に平行に横方向に延びており、
前記前側ベルト及び前記後側ベルトのそれぞれは、横方向に連続している近位及び遠位縁部を有し、前記近位縁部は前記遠位縁部よりも、前記物品の長手方向の中心に対して近い位置にあり、前記前側ベルト及び前記後側ベルトのそれぞれは、側縁部を有し、
前記前側ベルトのベルト側縁部はその全長にわたって、前記後側ベルトのベルト側縁部のある一定の長さ部分と継ぎ合わされて、シーム長ＬＳを画定し、
前記前側ベルト及び前記後側ベルトのそれぞれは、横方向に延びる４つのゾーンであって、前記シーム長ＬＳに対するパーセントで表される、前記遠位縁部から前記近位縁部までの位置により画定される４つのゾーンに分割され、０〜２５％は腰部ゾーン、２５％〜５０％は遠位腹部ゾーン、５０〜８５％は近位腹部ゾーン、８５％〜１００％は脚部ゾーンとなっており、
前記前側ベルト及び前記後側ベルトのそれぞれの前記４つのゾーンを比較したとき、引張り応力は、前側近位腹部ゾーン、続いて後側遠位腹部ゾーンの順番で最も大きい、着用可能物品。
【請求項７】
前記前側脚部ゾーンの引張り応力が、前記前側近位腹部ゾーンの引張り応力の５０％以下であり、前記後側脚部ゾーンの引張り応力が、前記後側近位腹部ゾーンの引張り応力の１００％以下である、請求項１から６のいずれか一項に記載の物品。
【請求項８】
前記前側脚部ゾーンの引張り応力が、前記前側近位腹部ゾーンの引張り応力の４０％以下である、請求項１から７のいずれか一項に記載の物品。